(57)【要約】【課題】雄実部と雌実部との接合部において目隙ができにくく、がたつきが起こりにくく、かつ寸法変化などを要因とした実部の破損が起こりにくい床材を提供する。【解決手段】雄実部１１は、基端部１２の下面１２ｂが先端側に向けて下り傾斜し、雌実部１４は、入り口部１５の底面１５ａが先端側に向けて上り傾斜しており、雄実部１１の先端部１３の上面１３ａと、雌実部１４の奥方部１６の天井面１６ｂとの間に弾性部材２０配される。【選択図】図１
2018071197.tif 000002
【特許請求の範囲】
【請求項１】
一側端部に雄実部を有し他側端部に雌実部を有した、下地に固定しない施工方式の床材であって、
前記雄実部は、基端部と先端部とを有しており、該基端部の下面が先端側に向けて下り傾斜している一方、前記雌実部は、入り口部と奥方部とを有しており、該入り口部の底面が先端側に向けて上り傾斜しており、
前記雄実部の前記先端部の上面と、前記雌実部の前記奥方部の天井面との間に弾性部材が配されることを特徴とする床材。
【請求項２】
一側端部に雄実部を有し他側端部に雌実部を有した、下地に固定しない施工方式の床材であって、
前記雄実部は、基端部と先端部とを有しており、該基端部の下面が先端側に向けて下り傾斜している一方、前記雌実部は、入り口部と奥方部とを有しており、該入り口部の底面が先端側に向けて上り傾斜しており、
前記雄実部の前記基端部の下面と、前記雌実部の入り口部の底面との間に弾性部材が配されることを特徴とする床材。
【発明の詳細な説明】
【技術分野】
【０００１】
本発明は、一側端部に雄実部を有し他側端部に雌実部を有した、下地に固定しない施工方式の床材に関する。
【背景技術】
【０００２】
従来のこの種の床材として、床材の温度変化などによる寸法変化に対応して発生する、接合部の美観や歩行感の低下を防止したものが提案されている（たとえば、特許文献１参照）。この文献の技術は、実部の一部の面を傾斜面にして、その傾斜面により床材の膨張量を吸収することで、突き上げの抑制を可能としたものである一方、傾斜面により、床材の収縮の際にできた目隙を目立たないようにしている。
【０００３】
このように、上記文献のものでは目隙の発生そのものの抑制はなされない。特に、床材を下地に固定しない施工の場合、上記文献のものでは、目隙の発生を防止することはほとんど不可能である。
【０００４】
雄実部および雌実部を傾斜状に形成したり、鉤状に形成したりするなどにより雄実部と雌実部との接合部における隙間をなくすことで、雌雄実部間の接合を強固にし、隣り合う床材が相互に離れないようにすることが考えられる。このようにすることで、床材を下地に固定しない施工であっても目隙が発生する可能性は低くなる。
【先行技術文献】
【特許文献】
【０００５】
【特許文献１】特許第３６８２４４１号公報
【発明の概要】
【発明が解決しようとする課題】
【０００６】
しかしながら、上記のように隙間のない実接合の場合、床材の膨張収縮の寸法変化などにより床材間に強い力が作用して実部が破損するおそれがある。たとえば、床材間の引っ張り合いにより、床材の厚さ方向に突出した部位が破損するおそれがある。したがって、接合部においてあそび（隙間）が必要とされるが、その隙間によりがたつきが発生する可能性がある。
【０００７】
本発明は、このような事情を考慮して提案されたもので、その目的は、雄実部と雌実部との接合部において目隙ができにくく、がたつきが起こりにくく、かつ寸法変化などを要因とした実部の破損が起こりにくい床材を提供することにある。
【課題を解決するための手段】
【０００８】
上記目的を達成するために、本発明の床材は、一側端部に雄実部を有し他側端部に雌実部を有した、下地に固定しない施工方式の床材であって、雄実部は、基端部と先端部とを有しており、基端部の下面が先端側に向けて下り傾斜している一方、雌実部は、入り口部と奥方部とを有しており、入り口部の底面が先端側に向けて上り傾斜しており、雄実部の先端部の上面と、雌実部の奥方部の天井面との間に弾性部材が配されることを特徴とする。
【０００９】
また、上記目的を達成するために、本発明の床材は、一側端部に雄実部を有し他側端部に雌実部を有した、下地に固定しない施工方式の床材であって、雄実部は、基端部と先端部とを有しており、基端部の下面が先端側に向けて下り傾斜している一方、雌実部は、入り口部と奥方部とを有しており、入り口部の底面が先端側に向けて上り傾斜しており、雄実部の基端部の下面と、雌実部の入り口部の底面との間に弾性部材が配されることを特徴とする。
【発明の効果】
【００１０】
本発明の床材によれば、上述の構成となっているため、雄実部と雌実部との接合部において目隙ができにくく、がたつきが起こりにくく、かつ寸法変化などを要因とした実部の破損が起こりにくい。
【００１１】
また、本発明の他の発明によれば、上述の構成となっているため、雄実部と雌実部との接合部において目隙ができにくく、がたつきが起こりにくく、かつ寸法変化などを要因とした実部の破損が起こりにくい。
【図面の簡単な説明】
【００１２】
【図１】（ａ）〜（ｃ）は、本発明の一実施形態に係る床材どうしの接合の態様を模式的に示した一部省略縦断面図である。
【図２】（ａ）〜（ｃ）は、本発明の他の実施形態に係る床材どうしの接合の態様を模式的に示した一部省略縦断面図である。
【図３】（ａ）〜（ｃ）は、本発明のさらに他の実施形態に係る床材どうしの接合の態様を模式的に示した一部省略縦断面図である。
【発明を実施するための形態】
【００１３】
以下に、本発明の実施の形態について、添付図面にもとづいて説明する。図１〜図３はいずれも、下地上における床材どうしの接合の３態様のそれぞれを、（ａ）〜（ｃ）に模式的に示した一部省略縦断面図である。
【００１４】
図１に示した床材１は、一側端部に雄実部１１を有し他側端部に雌実部１４を有した、下地３に固定しない施工方式の床材である。雄実部１１は、基端部１２と先端部１３とを有しており、基端部１２の下面１２ｂが先端側に向けて下り傾斜している。一方、雌実部１４は、入り口部１５と奥方部１６とを有しており、入り口部１５の底面１５ａが先端側に向けて上り傾斜している。また、雄実部１１の先端部１３の上面１３ａと、雌実部１４の奥方部１６の天井面１６ｂとの間に弾性部材２０が配されるようになっている。
【００１５】
この床材１は床材本体１０と弾性部材２０とより構成されている。床材本体１０は基材１０ａの表面に表面化粧材１０ｂを積層した構成となっている。基材１０ａとしては、木質系材料や合成樹脂系材料などの種々の材料を用いることができる。たとえば、基材１０ａをパーティクルボードなどの木質ボード、木質繊維板などの木質系ボードから形成されたものとしてもよい。また、表面化粧材１０ｂとしては、突板単板や合成樹脂シートなどを用いることができる。
【００１６】
床材本体１０は、すくなくとも一方向の側端部の一端に雄実部１１を有する一方、他端に凹溝状の雌実部１４を有している。床材１は、隣り合う床材１との関係において、雌雄実部の接合により下地３上に設置される。床材１の下地３への設置には、接着剤や釘などの固定部材は用いない。
【００１７】
雄実部１１は、基端部１２の下面１２ｂが先端側に向けて下り傾斜しているとともに、上面１２ａも下り傾斜しており、基端部１２の全体形状が先端側に向けて下り傾斜形状となっている。また、雄実部１２の先端部１３は床材本体１０の裏面に対し平行な形状となっている。つまり、雄実部１１は基端部１２と先端部１３との表面側の角度を鈍角とした屈曲形状とされている。
【００１８】
一方、雌実部１４は、凹溝の入り口部１５の底面１５ａが先端側に向けて上り傾斜しているとともに、天井面１５ｂも上り傾斜しており、入り口部１５の全体が先端側に向けて上り傾斜形状となっている。また、雌実部１４の奥方部１６は床材本体１０の裏面に対し平行な形状となっている。つまり、雌実部１４は奥方部１６と入り口部１５との表面側の角度を鈍角とした屈曲形状とされている。
【００１９】
このように、雄実部１１も雌実部１４も表面側の折曲角度を鈍角とした屈曲形状となっており、床材１、１どうしの接合のしやすさを考慮して、雄実部１１の厚さ寸法よりも雌実部１４の上下間寸法のほうが大きくなっている。特に、雌実部１４の入り口部１５は十分に広く開口しており、既設床材１の雌実部１４に新設床材１の雄実部１１を接合する場合には挿入、装着しやすくなっている。
【００２０】
なお、雄実部１１の基端部１２の上面１２ａの傾斜と雌実部１４の入り口部１５の天井面１５ｂの傾斜角度は略同一である。また、雌実部１４の上側突条部１７の先端は表面側が傾斜状に切り取られている。このような形状となっているため、図１（ｂ）に示すように両床材１、１が接合した場合は、雄実部１１と雌実部１４との接合部５において、下方に隙間空間が連通しない目地溝１９が表面に形成される。
【００２１】
さらに、雄実部１１の先端部１３の上面１３ａには、図１に示すように弾性部材２０が貼りつけてある。この弾性部材２０としては、ウレタン樹脂などの柔軟な合成樹脂やゴムなどが用いられる。この弾性部材２０を雄実部１１の先端部１３に配した状態では、その全体の厚さ寸法は雌実部１４の奥方部１６の上下間寸法よりも大きい。
【００２２】
新設の床材１を既設の床材１に接合する場合、図１（ａ）のように、新設床材１の雄実部１１に配した弾性部材２０を既設床材１の雌実部１４の奥方部１６の天井面１６ｂに押し当て圧縮させることで、スムーズに実接合することができる。図１（ｂ）のように、実接合した状態では弾性部材２０が上下方向に圧縮された状態にあり、弾性部材２０の付勢力が作用して、雄実部１１の先端部１３の下面１３ａが雌実部１４の奥方部１６の底面１６ａに接触し押圧した状態となる。
【００２３】
こうして、新設床材１の雄実部１１は既設床材１の雌実部１４にしっかりと装着される。すくなくとも雄実部１１の先端部１３と雌実部１４の奥方部１６との関係においては、弾性部材２０の作用により上下間に隙間が発生することはない。そのため、施工状態においてがたつきは発生しにくい。また、弾性部材２０により雄実部１１の先端部１３は雌実部１４の奥方部１６の底面１６ａを押圧した状態にあるので、両床材１、１の相互離反方向へのずれも発生しにくい。
【００２４】
また、乾燥時などに床材本体１０に寸法変化が生じた場合、両床材１、１は収縮し相互離反方向へ離れようとする。このとき、図１（ｃ）に示すように雄実部１１の先端部１２が雌実部１４の入り口部１５の底面１５ａに乗り上げようとし、それと同時に弾性部材２０がさらに圧縮される。つまり、この状態では、図２（ｃ）に示すように、接合部５には弾性部材２０を有した状態で適度な隙間空間ができているため、両実部には大きな負荷がかかることなく、両床材１、１は離反しようとする。
【００２５】
このように両床材１、１は両実部が屈曲形状であっても、相互の隙間と、その隙間に配した弾性部材２０とにより無理なくスムーズに離反するので、雄実部１１や雌実部１４側の上側突条部１７、下側突条部１８が破損するようなことはほとんど発生しない。また、図１（ｃ）の状態において弾性部材２０により雄実部１１は雌実部１４を押圧するため、図１（ｃ）の状態で両床材１、１は保持され得る。よって、この状態でがたつきは発生しにくい。
【００２６】
また、床材１、１どうしが離れれば、図１（ｃ）に示したような目隙７が生じるが、上述したように、雄実部１１の基端部１２の上面１２ａと雌実部１４の入り口部１５の天井面１５ｂとが傾斜面となっているため、目地溝１９から下方に通じる隙間を浅く見せることができる。
【００２７】
なお、本実施形態では、弾性部材２０を雄実部１１の先端部１３の上面１３ａに貼りつけるようにしているが、雌実部１４の奥方部１６の天井面１６ｂに貼りつけるようにしてもよい。この場合、設置する際に新設床材１を十分に傾斜させ、雄実部１１の先端部１３の上面角部から挿入させるようにすれば、問題なく接合することができる。また、雌実部１４に弾性部材２０を貼り付けていない雄実部１１を遊嵌させたのちに、雄実部１１、雌実部１４間の上下間隙間に弾性部材２０を表面側より挿入させるようにしてもよい。
【００２８】
ついで、図２および図３に示した床材１について説明する。これらの床材１は、一側端部に雄実部１１を有し他側端部に雌実部１４を有した、下地３に固定しない施工方式の床材である。雄実部１１は、基端部１２と先端部１３とを有しており、基端部１２の下面１２ｂが先端側に向けて下り傾斜している。一方、雌実部１４は、入り口部１５と奥方部１６とを有しており、入り口部１５の底面１５ａが先端側に向けて上り傾斜している。また雄実部１１の基端部１２の下面１２ｂと、雌実部１４の入り口部１５の底面１５ａとの間に弾性部材２０が配されるようになっている。
【００２９】
これらの床材１はいずれも、床材本体１０と弾性部材２０とより構成されている。床材本体１０は基材１０ａの表面に表面化粧材１０ｂを積層した構成となっている。基材１０ａおよび表面化粧材１０ｂについては図１のものと同様であるため、説明は省略する。
【００３０】
また、床材本体１０の形状についても図１のものと同様であり、雄実部１１が屈曲形状、雌実部１４が屈曲凹溝形状となっている。これらについても、同一の符号を付してその説明は省略する。
【００３１】
ついで、図２の床材１および図３の床材１について個別に説明する。
【００３２】
図２に例示した実施形態では、弾性部材２０が雄実部１１の基端部１２の下面１２ｂに貼りつけてある。なお、弾性部材２０としては図１のものと同一の素材のものが用いてある。
【００３３】
新設の床材１を既設の床材１に接合する場合、図２（ａ）のように、新設床材１の雄実部１１に配した弾性部材２０を既設床材１の雌実部１４の入り口部１５の底面１５ａに押し当て圧縮させることで、スムーズに実接合することができる。図２（ｂ）のように、実接合した状態では弾性部材２０が圧縮された状態にあり、弾性部材２０の付勢力が作用して、雄実部１１の基端部１２の上面１２ａが雌実部１４の入り口部１５の天井面１５ｂに接触し押圧した状態となる。
【００３４】
こうして、新設床材１の雄実部１１は既設床材１の雌実部１４にしっかりと装着される。すくなくとも雄実部１１の基端部１２と雌実部１４の入り口部１５との関係においては、弾性部材２０の作用により上下間に隙間が発生することはない。そのため、施工状態においてがたつきは発生しにくい。また、弾性部材２０により雄実部１１の基端部１２は雌実部１４の入り口部１５の天井面１５ｂを押圧した状態にあるので、両床材１、１の相互離反方向へのずれも発生しにくい。
【００３５】
また、乾燥時などに床材本体１０に寸法変化が生じた場合、両床材１、１は収縮し相互離反方向へ離れようとする。このとき、図２（ｃ）に示すように弾性部材２０が介在しているため、弾性部材２０がさらに圧縮される。つまり、この状態では、図２（ｃ）に示すように、雄実部１１と雌実部１４との接合部５には、弾性部材２０を有した状態で適度な隙間空間ができているため、両実部には大きな負荷がかかることなく、両床材１、１は離反しようとする。
【００３６】
このように両床材１、１は両実部が屈曲形状であっても、相互の隙間と、その隙間に配した弾性部材２０とにより無理なくスムーズに離反するので、雄実部１１や雌実部１４側の上側突条部１７、下側突条部１８が破損するようなことはほとんど発生しない。また、図２（ｃ）の状態において弾性部材２０により雄実部１１は雌実部１４の上側突条部１７を押圧するため、図２（ｃ）の状態で両床材１、１は保持され得る。よって、この状態でがたつきは発生しにくい。
【００３７】
また、このように雄実部１１は上方に移動しようとするため、雄実部１１の基端部１２の上面１２ａと雌実部１４の入り口部１５の天井面１５ｂとの隙間（目隙７）は小さくなる。よって、目隙７により美観が損なわれることもほとんどない。
【００３８】
一方、図３に例示した実施形態では、弾性部材２０が雌実部１４の入り口部１５の底面１５ａに貼りつけてある。なお、弾性部材２０としては図２のものと同一の素材、同一の形状のものが用いてある。
【００３９】
新設の床材１を既設の床材１に接合する場合、図３（ａ）のように、新設床材１の雄実部１１の基端部１２の下面１２ｂを既設床材１の雌実部１４の弾性部材２０に押し当て弾性部材２０を圧縮させることで、スムーズに実接合することができる。図３（ｂ）のように、実接合した状態では弾性部材２０が圧縮された状態にあり、弾性部材２０の付勢力が作用して、雄実部１１の基端部１２の上面が雌実部１４の入り口部１５の天井面１５ｂに接触し押圧した状態となる。
【００４０】
こうして、新設床材１の雄実部１１は既設床材１の雌実部１４にしっかりと装着される。すくなくとも雄実部１１の基端部１２と雌実部１４の入り口部１５との関係においては、弾性部材２０の作用により上下間に隙間が発生することはない。そのため、施工状態においてがたつきは発生しにくい。また、弾性部材２０により雄実部１１の基端部１２は雌実部１４の入り口部１５の上側突条部１７を押圧した状態にあるので、両床材１、１の相互離反方向へのずれも発生しにくい。
【００４１】
また、乾燥時などに床材本体１０に寸法変化が生じた場合、両床材１、１は収縮し相互離反方向へ離れようとする。このとき、図３（ｃ）に示すように弾性部材２０が介在しているため、弾性部材２０がさらに圧縮される。つまり、この状態では、図３（ｃ）に示すように、接合部５には弾性部材２０を有した状態で適度な隙間空間ができているため、両実部には大きな負荷がかかることなく、両床材１、１は離反しようとする。
【００４２】
このように両床材１、１は両実部が屈曲形状であっても、相互の隙間と、その隙間に配した弾性部材２０とにより無理なくスムーズに離反するので、雄実部１１や雌実部１４側の上側突条部１７、下側突条部１８が破損するようなことはほとんど発生しない。また、図３（ｃ）の状態において弾性部材２０により雄実部１１は雌実部１４の上側突条部１７を押圧するため、図３（ｃ）の状態で両床材１、１は保持され得る。よって、この状態でがたつきは発生しにくい。
【００４３】
また、このように雄実部１１は上方に移動しようとするため、雄実部１１の基端部１２の上面１２ａと雌実部１４の入り口部１５の天井面１５ｂとの隙間（目隙７）は小さくなる。よって、目隙７により美観が損なわれることもほとんどない。
【００４４】
以上のように、弾性部材２０を図２では雄実部１１に貼りつけ、図３では雌実部１４に貼りつけたものを示した。これらに限らず、雄実部１１の雌実部１４への装着過程において、雄実部１１の基端部１２と雌実部１４の入り口部１５との対向面間に弾性部材２０を挿入させるようにしてもよい。
【符号の説明】
【００４５】
１          床材
３          下地
５          接合部
１１        雄実部
１２        基端部
１２ａ      上面
１２ｂ      下面
１３        先端部
１３ａ      上面
１３ｂ      下面
１４        雌実部
１５        入り口部
１５ａ      底面
１５ｂ      天井面
１６        奥方部
１６ａ      底面
１６ｂ      天井面
２０        弾性部材
【図１】
2018071197.tif 000003
【図２】
2018071197.tif 000004
【図３】
2018071197.tif 000005